【手続補正書】
【提出日】平成22年11月11日(2010.11.11)
【手続補正１】
【補正対象書類名】特許請求の範囲
【補正対象項目名】全文
【補正方法】変更
【補正の内容】
【特許請求の範囲】
【請求項１】
ネットワークを介して注入療法をモニターおよび／または管理するシステムであって、該システムは、
注入療法を伝達するための少なくとも一つの注入ポンプデバイスと、
該少なくとも一つの注入ポンプデバイスをモニターし、制御するための少なくとも一つの遠隔に配置されたユーザーインターフェースデバイスと、
少なくとも一つのサーバーであって、該少なくとも一つのユーザーインターフェースデバイスと該少なくとも一つのポンプデバイスとが該ネットワークを介して該少なくとも一つのサーバーを通じて通信するように、該少なくとも一つの注入ポンプデバイスをモニターおよび制御するために該少なくとも一つのユーザーインターフェースが接続されている、少なくとも一つのサーバーであって、該少なくとも一つのサーバーは、（ｉ）該少なくとも一つの注入ポンプデバイスと、該少なくとも一つのサーバーとの間にデータを提供するポンプサーバー部分と、（ｉｉ）該少なくとも一つのユーザーインターフェースにおいて該少なくとも一つの注入ポンプデバイスにユーザーアクセスおよび制御を提供するウェブサーバー部分とを含む、少なくとも一つのサーバーと
を含む、システム。
【請求項２】
前記少なくとも一つのサーバーは、
前記ポンプおよび前記少なくとも一つのユーザーインターフェースによって提供されるデータを格納するデータベースと
をさらに含む、請求項１に記載のシステム。
【請求項３】
前記ネットワークは、イントラネットネットワーク、インターネット、またはイントラネットネットワークとインターネットとの組み合わせである、請求項１に記載のシステム。
【請求項４】
前記イントラネットネットワークは、有線ネットワークまたはワイヤレスネットワークとして実装される、請求項３に記載のシステム。
【請求項５】
前記少なくとも一つのユーザーインターフェースデバイスは、コンピューター、インターネットブラウザー能力を組み込むスマートテレフォン、パーソナルデジタルアシスタント、移動電話および前記少なくとも一つの注入ポンプを含むグループから選択される少なくとも一つのデバイスを含む、請求項１に記載のシステム。
【請求項６】
前記少なくとも一つのユーザーインターフェースデバイスは、前記少なくとも一つのポンプデバイスに格納された情報にアクセスするように構成される、請求項１に記載のシステム。
【請求項７】
前記少なくとも一つのポンプデバイスに格納されたアクセス可能な情報は、注入療法を実施中のサーバー接続された注入ポンプに関係している、請求項６に記載のシステム。
【請求項８】
前記少なくとも一つのユーザーインターフェースデバイスは、以前に投与された注入に関して前記少なくとも一つのポンプデバイスに格納された情報にアクセスするように構成される、請求項６に記載のシステム。
【請求項９】
前記少なくとも一つのユーザーインターフェースデバイスは、患者の病歴に関して前記少なくとも一つのポンプデバイスに格納された情報にアクセスするように構成される、請求項６に記載のシステム。
【請求項１０】
前記ユーザーインターフェースデバイスは、現在投与されているか、または投与されることが予定されている注入療法を制御または管理するために、前記少なくとも一つのポンプデバイスに格納された情報を修正するように構成される、請求項６に記載のシステム。
【請求項１１】
前記少なくとも一つのユーザーインターフェースデバイスは、投与部位から遠隔に配置されている、請求項１に記載のシステム。
【請求項１２】
前記少なくとも一つのポンプデバイスは、注入療法を受ける患者の肉体的または生理的変数をモニターするように構成された装置を含み、該少なくとも一つのユーザーインターフェースは、肉体的または生理的変数を制御および／またはモニターするように構成される、請求項１に記載のシステム。
【請求項１３】
前記少なくとも一つのポンプデバイスは、注入療法を受ける患者をクエリする装置を含み、前記少なくとも一つのユーザーインターフェースは、それに対する患者の応答をモニターするように構成される、請求項１に記載のシステム。
【請求項１４】
注入療法をネットワークを介してモニターおよび／または管理する方法であって、該方法は、
少なくとも一つの遠隔に配置されるユーザーインターフェースデバイスを用いて少なくとも一つの注入ポンプデバイスをモニターおよび管理することと、
注入ポンプデバイスに、および該少なくとも一つの注入ポンプデバイスをモニターおよび／または制御するために該少なくとも一つのユーザーインターフェースデバイスが接続されている少なくとも一つのサーバーに情報を格納することと、
該ネットワークを介して該少なくとも一つのサーバーを通じて該少なくとも一つのユーザーインターフェースを用いて該少なくとも一つの注入ポンプデバイスを管理することと、
該少なくとも一つの注入ポンプデバイスと前記少なくとも一つのサーバーとの間でデータを提供するために、該少なくとも一つのサーバーのポンプサーバー部分に、ポンプサーバー情報を格納することと、
該少なくとも一つのユーザーインターフェースにユーザーアクセスおよび制御を提供するために、該少なくとも一つのサーバーのウェブサーバー部分に、ウェブサーバー情報を格納することと
を含む、方法。
【請求項１５】
前記注入ポンプデバイスおよび前記少なくとも一つのユーザーインターフェースによって提供される前記データを格納する前記少なくとも一つのサーバーを構成することを含む、請求項１４に記載の方法。
【請求項１６】
前記少なくとも一つのユーザーインターフェースデバイスを前記少なくとも一つのポンプデバイスに格納された情報にアクセスするように構成することを含む、請求項１５に記載の方法。
【請求項１７】
注入療法を実施中のサーバー接続された注入ポンプに関係している前記少なくとも一つのポンプデバイスにアクセス可能な情報を格納することを含む、請求項１５に記載の方法。
【請求項１８】
前記少なくとも一つのユーザーインターフェースデバイスを以前に投与された注入に関して前記少なくとも一つのポンプデバイスに格納された情報にアクセスするように構成することを含む、請求項１５に記載の方法。
【請求項１９】
前記少なくとも一つのユーザーインターフェースデバイスを患者の病歴に関して前記少なくとも一つのポンプデバイスに格納された情報にアクセスするように構成することを含む、請求項１５に記載の方法。
【請求項２０】
前記ユーザーインターフェースデバイスを、現在投与されているか、または投与されることが予定されている注入療法を制御および管理するために、前記少なくとも一つのポンプに格納された情報を修正するように構成することを含む、請求項１５に記載の方法。
【請求項２１】
前記少なくとも一つのユーザーインターフェースデバイスを投与部位から遠隔に配置することを含む、請求項１４に記載の方法。
【請求項２２】
（ｉ）前記少なくとも一つの注入ポンプデバイスは、注入療法を受ける患者の肉体的または生理的変数をモニターし、（ｉｉ）前記少なくとも一つのユーザーインターフェースは、肉体的または生理的変数を制御およびモニターする、請求項１４に記載の方法。
【請求項２３】
注入療法を受ける患者にクエリするための前記少なくとも一つのポンプデバイスと、患者のそれに対する応答をモニターするための前記少なくとも一つのユーザーインターフェースとを配置することを含む、請求項１４に記載の方法。
【手続補正２】
【補正対象書類名】明細書
【補正対象項目名】０００８
【補正方法】変更
【補正の内容】
【０００８】
（概要）
注入療法の遠隔モニタリングおよび／または管理のシステムおよび方法。ユーザーは、遠隔な場所にあるサーバー接続されたポンプをコンピューターまたはＰＤＡのようなものでモニターおよび管理し得る。病院または患者の家庭のような施設に配置されるポンプは、例えば、インターネットを介して情報のデータベースを含むサーバーに接続されている。ユーザーは、遠隔の場所から、遠隔の場所で表示されるインターフェースを用いることによってポンプを操作し得る。オペレーターは、インターフェースの使用によってポンプ操作を管理し得る。これに関連して、ユーザーは、便利な遠隔の場所からポンプをオンおよびオフにし得、注入レート、投薬量等すべてを選択し得る。
例えば、本発明は以下の項目を提供する。
（項目１）
ネットワークを介して注入療法をモニターおよび／または管理するシステムであって、該システムは、
注入療法を伝達するための少なくとも一つの注入ポンプデバイスと、
該少なくとも一つの注入ポンプデバイスをモニターし、制御するための少なくとも一つの遠隔に配置されたユーザーインターフェースデバイスと、
少なくとも一つのサーバーであって、該少なくとも一つのユーザーインターフェースデバイスと該少なくとも一つのポンプデバイスとが該ネットワークを介して該少なくとも一つのサーバーを通じて通信するように、該少なくとも一つの注入ポンプデバイスをモニターおよび制御するために該少なくとも一つのユーザーインターフェースが接続されている、少なくとも一つのサーバーと
を含む、システム。
（項目２）
上記少なくとも一つのサーバーは、
上記少なくとも一つの注入ポンプデバイスと上記少なくとも一つのサーバーとの間でデータを提供するためのポンプサーバーと、
上記少なくとも一つのユーザーインターフェースにユーザーアクセスおよび制御を提供するためのウェブサーバーと、
該ポンプおよび該少なくとも一つのユーザーインターフェースによって提供されるデータを格納するためのデータベースと
を含む、項目１に記載のシステム。
（項目３）
上記ネットワークは、イントラネットネットワーク、インターネット、またはイントラネットネットワークとインターネットとの組み合わせである、項目１に記載のシステム。
（項目４）
上記イントラネットネットワークは、有線またはワイヤレスのネットワークとして実装される、項目３に記載のシステム。
（項目５）
上記少なくとも一つのユーザーインターフェースデバイスは、コンピューター、インターネットブラウザー能力を組み込むスマートテレフォン、パーソナルデジタルアシスタント、移動電話および上記少なくとも一つの注入ポンプを含むグループから選択された少なくとも一つのデバイスを含む、項目１に記載のシステム。
（項目６）
上記少なくとも一つのユーザーインターフェースデバイスは、上記少なくとも一つのポンプデバイスに格納された情報にアクセスするように構成される、項目１に記載のシステム。
（項目７）
上記少なくとも一つのポンプデバイスに格納されたアクセス可能な情報は、注入療法を実施中のサーバー接続された注入ポンプに関係している、項目６に記載のシステム。
（項目８）
上記少なくとも一つのユーザーインターフェースデバイスは、以前に管理された注入に関して上記少なくとも一つのポンプデバイスに格納された情報にアクセスするように構成される、項目６に記載のシステム。
（項目９）
上記少なくとも一つのユーザーインターフェースデバイスは、患者の病歴に関して上記少なくとも一つのポンプデバイスに格納された情報にアクセスするように構成される、項目６に記載のシステム。
（項目１０）
上記ユーザーインターフェースデバイスは、現在管理されているか、または管理されることが予定されている注入療法を制御または管理するために、上記少なくとも一つのポンプデバイスに格納された情報を修正するように構成される、項目６に記載のシステム。
（項目１１）
上記少なくとも一つのユーザーインターフェースデバイスは、管理のサイトから遠隔に配置されている、項目１に記載のシステム。
（項目１２）
上記少なくとも一つのポンプデバイスは、注入療法を受ける患者の肉体的または生理的変数をモニターするように構成された装置を含み、該少なくとも一つのユーザーインターフェースは、肉体的または生理的変数を制御および／またはモニターするように構成される、項目１に記載のシステム。
（項目１３）
上記少なくとも一つのポンプデバイスは、注入療法を受ける患者をクエリする装置を含み、上記少なくとも一つのユーザーインターフェースは、それに対する患者の応答をモニターするように構成される、項目１に記載のシステム。
（項目１４）
注入療法をネットワークを介してモニターおよび／または管理する方法であって、該方法は、
少なくとも一つの遠隔に配置されるユーザーインターフェースデバイスを用いて少なくとも一つの注入ポンプデバイスをモニターすることと、
注入ポンプデバイスに、および該少なくとも一つの注入ポンプデバイスをモニターおよび／または制御するために該少なくとも一つのユーザーインターフェースデバイスが接続されている少なくとも一つのサーバーに情報を格納することと、
該ネットワークを介して該少なくとも一つのサーバーを通じて該少なくとも一つのユーザーインターフェースを用いて該少なくとも一つの注入ポンプデバイスを管理することと
を含む、方法。
（項目１５）
上記少なくとも一つの注入ポンプデバイスと上記少なくとも一つのサーバーとの間でデータを提供するためのポンプサーバー情報と、
上記少なくとも一つのユーザーインターフェースにユーザーアクセスおよび制御を提供するためのウェブポンプサーバー情報と
を格納するように上記少なくとも一つのサーバーを構成することを含み、
該データは、該ポンプおよび該少なくとも一つのユーザーインターフェースによって提供される、項目１に記載の方法。
（項目１６）
上記少なくとも一つのユーザーインターフェースデバイスを上記少なくとも一つのポンプデバイスに格納された情報にアクセスするように構成することを含む、項目１５に記載の方法。
（項目１７）
注入療法を実施中のサーバー接続された注入ポンプに関係している上記少なくとも一つのポンプデバイスにアクセス可能な情報を格納することを含む、項目１５に記載の方法。
（項目１８）
上記少なくとも一つのユーザーインターフェースデバイスを以前に管理された注入に関して上記少なくとも一つのポンプデバイスに格納された情報にアクセスするように構成することを含む、項目１５に記載の方法。
（項目１９）
上記少なくとも一つのユーザーインターフェースデバイスを患者の病歴に関して上記少なくとも一つのポンプデバイスに格納された情報にアクセスするように構成することを含む、項目１５に記載の方法。
（項目２０）
上記ユーザーインターフェースデバイスを構成することは、現在管理されているか、または管理されることが予定されている注入療法を制御および管理するために、が上記少なくとも一つのポンプに格納された情報を修正することでを含む、項目１５に記載の方法。
（項目２１）
上記少なくとも一つのユーザーインターフェースデバイスを管理のサイトから遠隔に配置することを含む、項目１に記載の方法。
（項目２２）
（ｉ）注入療法を受ける患者の肉体的または生理的変数をモニターするための上記少なくとも一つのポンプデバイスと、（ｉｉ）肉体的または生理的変数を制御およびモニターするための上記少なくとも一つのユーザーインターフェースとを含む、項目１に記載の方法。
（項目２３）
注入療法を受ける患者にクエリするための上記少なくとも一つのポンプデバイスと、患者のそれに対する応答をモニターするための上記少なくとも一つのユーザーインターフェースとを配置することを含む、項目１に記載の方法。